(57)【要約】【課題】ハンカチとめがね拭きのようにハンカチの利用目的以外の目的に利用されるものを組み合わせ、適宜使い分けることができるようにする。【解決手段】手拭きや汗拭きなどに利用することができるハンカチ主体１と、ハンカチ主体と異なる目的に利用するハンカチ補助片２とで構成し、ハンカチ主体１の一部に連結紐３の一端部を固定するとともに、連結紐３の他端部をハンカチ補助片２の一部に固定する。ハンカチ主体１に固定される連結紐の一端部とハンカチ補助片２に固定される連結紐３の他端部の双方もしくはいずれか一方にループ状の係止部４を形成することによって、分離させたハンカチ主体及び／又はハンカチ補助片をフックなどに掛けておくことができる。【選択図】  図１
2004277942.tif 000002
【特許請求の範囲】
【請求項１】
手拭きや汗拭きなどに利用することができるハンカチ主体と、めがね拭きなど前記ハンカチ主体と異なる目的に利用するハンカチ補助片とで構成し、ハンカチ主体の一部に連結紐の一端部を固定するとともに、該連結紐の他端部をハンカチ補助片の一部に固定したことを特徴とするハンカチ。
【請求項２】
手拭きや汗拭きなどに利用することができるハンカチ主体と、めがね拭きなど前記ハンカチ主体と異なる目的に利用するハンカチ補助片とで構成し、ハンカチ主体の一部に連結紐の一端部を固定するとともに、該連結紐の他端部をハンカチ補助片の一部に固定し、ハンカチ主体に固定される連結紐の一端部とハンカチ補助片に固定される連結紐の他端部の双方もしくはいずれか一方にループ状の係止部を形成したことを特徴とするハンカチ。
【請求項３】
ハンカチ主体とハンカチ補助片は、一つの隅を一致させ、該一致した隅の部分に連結紐を装着するとともに、ハンカチ主体の大きさはハンカチ補助片の整数倍であって、ハンカチ補助片に合わせて折り畳むことができる大きさである請求項１又は２記載のハンカチ。
【請求項４】
連結紐として帯状の布であるテープを利用し、一本のテープの両端部分を折り返すことによってループ状の係止部を形成し、該係止部を形成した状態の連結紐をハンカチ主体及びハンカチ補助片に固定したことを特徴とする請求項２記載のハンカチ。
【請求項５】
連結紐として、予め両端部にループ状の係止部を形成した一定寸法の係止紐を用い、該連結紐をハンカチ主体及びハンカチ補助片に固定する請求項２記載のハンカチ。
【発明の詳細な説明】
【０００１】
【発明の属する技術分野】
この発明は、ハンカチもしくは汗拭きや手拭きのようにハンカチと同等に扱われるハンカチ主体と、ハンカチ主体とともに携行もしくは取り扱うのが望ましいハンカチ補助片との組み合わせに関する発明である。
【０００２】
【従来の技術】
ハンカチは、主として手を拭くために利用されるが、一例としてめがねや携帯電話、その他電気機器や携行品、貴重品などを拭くといった、ハンカチ本来の目的以外に利用されることがある。このような事態に対応するため、ハンカチの一部にめがね拭き素材（ワイパークロス）を縫い付けておく思想が実用新案登録第３０７３７０７号公報に開示されている。
【０００３】
【特許文献１】
実用新案登録第３０７３７０７号公報（図１参照）
【発明が解決しようとする課題】
【０００４】
一枚のハンカチでめがねなどを拭くと、手の汚れがめがねに付着するほか、レンズを傷つけてしまう可能性があるという欠点があった。その一方で、常にめがね拭きを携行するのも煩わしいのが現状である。従来の、一枚のハンカチの一部にめがね拭き用のワイパークロスを縫い付けた場合、ハンカチの使用によってワイパークロスそのものが汚れてしまい、実際には一枚のハンカチでめがねを拭くのと大差がなかった。
【０００５】
また、めがね拭き以外に、一枚のハンカチで共用したくない場合、例えば手拭きと汗拭きを使い分けたい人もいる。さらに、ハンカチの生地によって共用できない、もしくは共用するのが好ましくない場合もある。例えば、めがねや電気機器を拭くワイパークロスでは、シリコン加工を施すほか特殊素材のものを使用するのが効果的であるが、手拭きとしては好ましくない。あるいは、同じような用途であっても、赤ちゃんの手足を拭くハンカチで口元を拭くのは衛生上好ましくない。この場合、類似する用途であっても使い分けることができれば便利であるが、従来はそのようなことができなかった。
【０００６】
上記、従来技術の欠点に鑑み、本発明は、ハンカチもしくはハンカチと同じように利用されるものと、ハンカチの利用目的以外の目的に利用するものとを組み合わせて、適宜使い分けることができるハンカチを提供することを目的とする発明である。また、本発明の別の目的は、上に述べたハンカチを携行もしくは保管する場合に、その取り扱いが便利な構造とすることを目的とするものである。
【０００７】
【課題を解決するための手段】
上記目的を達成するため、本発明に係るハンカチは、手拭きや汗拭きなどに利用することができるハンカチ主体１と、めがね拭きなど前記ハンカチ主体１と異なる目的に利用するハンカチ補助片２とで構成する。ハンカチ主体１とハンカチ補助片２とは、連結紐３で連結して両者を折り畳んだ状態で携行することができるようにする。すなわち、ハンカチ主体１の一部に連結紐３の一端部を固定するとともに、該連結紐３の他端部をハンカチ補助片２の一部に固定することによって両者を連結する。
【０００８】
上記、構成とすることによって、常時ハンカチ主体１とハンカチ補助片２を使い分けることができ、連結紐３を利用してフック８などに掛けておくことができる。また、ハンカチ主体１とハンカチ補助片２とを、別々に取り扱いたい場合は、連結紐３を切断することによって分離させることができる。
【０００９】
ハンカチ主体１とハンカチ補助片２を分離させた場合には、ハンカチ主体１に固定される連結紐３の一端部とハンカチ補助片２に固定される連結紐３の他端部の、双方もしくはいずれか一方に係止部４を形成しておくことによって、分離した状態状態のハンカチ主体１もしくはハンカチ補助片２をフック８などに掛けておくことができ、その取り扱いが便利なものとなる。
【００１０】
ハンカチ主体１とハンカチ補助片２は、一つの隅を一致させ、一致させた隅の部分に連結紐３を装着するとともに、ハンカチ主体１の大きさはハンカチ補助片２の整数倍であって、ハンカチ補助片２に合わせて折り畳むことができる大きとすれば、きちんと折り畳むことができる。また、連結紐３として帯状の布であるテープ、具体的にはリボンを利用し、一本のテープの両端部分を折り返すことによってループ状の係止部４を形成し、その状態でハンカチ主体１及びハンカチ補助片２に縫着すると、折り畳んだ場合に連結紐３が嵩張らないとともに、連結紐３を装飾的に利用することができる。また、連結紐として、予め両端部にループ状の係止部４，４を形成した一定寸法の連結紐３を利用すると、縫製作業を能率的に行なうことができる。
【００１１】
【発明の実施の形態】
以下、本発明に係るハンカチの好ましい実施形態を、添付の図面に基づいて説明する。
図１及び図２は、本発明に係るハンカチの実施形態を示す正面図であって、図１は連結部分を折り返して、図２はハンカチ主体とハンカチ補助片を重ねた状態を示している。
【００１２】
図１に示す実施形態の本発明に係るハンカチは、図面上大きなサイズのハンカチ主体１と、小さなサイズのハンカチ補助片２とで構成している。大きなサイズのハンカチ主体１は、通常の大きな布製であって、常時携行して手拭きや汗拭きに利用されるものである。一方、ハンカチ補助片２は、特に大きさや用途が限定されるものではない。ハンカチ補助片２がハンカチ主体１と同じ大きさであってもよいが、図示例ではハンカチ補助片を小さなサイズのめがね拭きとしている。ハンカチ補助片２をめがね拭きとする場合は、シリコン加工を施したものの他、適当な素材からなるワイパークロスを採用することができる。
【００１３】
ハンカチ主体１とハンカチ補助片２は、一つの隅部分において、連結紐３で連結する。図１に示す実施形態では、連結紐３として帯状の布である一定幅のテープ、具体的にはリボンを利用し、両端部分に折り返しによってループ状の係止部４，４を形成している。
すなわち、図５に示すように、一定寸法のリボンの両端部を折り返してループ状の係止部４，４を形成し、図１に示すように折り返しの重なり部分を固定部５，６として、ハンカチ主体１とハンカチ補助片２の対向面にそれぞれ縫製によって固定し、連結紐３の中間部分の折線７で二つ折りとすることによって図２に示すように重ね合わせることができるようにしている。
【００１４】
図１、図２に示す実施形態では、ハンカチ補助片２の大きさをハンカチ主体１の四分の一の大きさとしている。したがって、図２に二点鎖線で示す折り曲げ線８，８で折り曲げることによって、図３に示すように連結紐３の折り返し部分が内部に隠れる態様で、ハンカチ補助片を含めて一つに折り畳むことができる。このとき、一つの隅から連結紐３が突出することになる。連結紐３としてきれいなリボンを利用すると、装飾的な効果が期待できる。
【００１５】
図１に示すハンカチは、図２に示すように折り畳んで携行するほか、図４に示すように、連結紐３を利用してフック８などに掛けておくことができる。ハンカチ主体１とハンカチ補助片２を一緒に掛けておく場合は、連結紐３のハンカチ主体１とハンカチ補助片２との繋がり部分を利用するとよい。勿論、連結紐３に形成した係止部４を利用して、フック８などに掛けるようにすることもできる。
【００１６】
ハンカチ主体１とハンカチ補助片２は、図６の（ａ）に示すように、常に繋がった状態で使用する必要はなく、使用者のニーズによっては、連結紐３を切断し、図６の（ｂ）に示すハンカチ主体１と、図６の（ｃ）に示すハンカチ補助片２を、別々に使用することができる。この場合、分離されたハンカチ主体１とハンカチ補助片２には、それぞれ連結紐の一部が固定されることになり、連結紐３に形成した係止部４を利用することによって、ハンカチ主体１やハンカチ補助片２を吊り下げることができる。
【００１７】
分離させたハンカチ主体１及びハンカチ補助片２は、両方ともを吊り下げることができるようにする必要はなく、一方のみを吊り下げ可能とするものであっても良い。この場合、連結紐３の両端のうち、一端にのみループ状の係止部４を形成しておき、他方には係止部を形成しておく必要はない。
【００１８】
図１ないし図６に示す実施形態では、連結紐３として帯状のテープを利用しているが、必ずしもテープを連結紐として利用する必要はなく、図７に示すように細いロープ状の紐を連結紐３として利用することができる。この場合においても、図７に示すように一本の紐の両端部を折り返してループ状の係止部４を形成し、ハンカチ主体１もしくはハンカチ補助片２に固定する際にループの重なり部分を縫着するようにすればよい。ロープ状の紐を連結紐として利用する場合は、連結紐そのものを丈夫なものとすることができる。
【００１９】
連結紐３に形成する係止部４は、一本の連結紐を折り返してハンカチ主体１もしくはハンカチ補助片２へ縫製することによって形成するものの他、図８に示すように、両端部にループ状の係止部４を予め形成した紐を連結紐として利用することもできる。この場合、縫製することによってループ状の係止部４を形成するものではないため、ハンカチ主体１やハンカチ補助片２に対する固定を容易に行なうことができる。すなわち、縫製によってしっかりとしたループを形成する必要はなく、重なり部分以外での縫製が可能である。そのほか、固定手段として縫製以外の手段、例えば接着剤による接着、ホックや面ファスナーといった着脱自在の係止具を固定手段として利用し、連結紐３をハンカチ主体１やハンカチ補助片２に固定することができる。
【００２０】
連結紐３をハンカチ主体１もしくはハンカチ補助体２の双方もしくはいずれか一方に対して着脱自在とする場合は、両者を適宜分離させるとともに、必要に応じて再度固定させて取り扱うことができる。分離させる目的は、使用する場合に分離させて使用するのが好ましい場合と、洗濯などの取り扱いの際に、例えばハンカチ主体１とハンカチ補助片２を別々に取り扱うのが好ましい場合などがある。
【００２１】
なお、連結紐３には、柔軟な繊維質の紐を利用するのが好ましいが、必ずしも柔軟な繊維に限定されるものでかなく、ゴム質や合成樹脂製とすることもできる。すなわち、本発明の連結紐３は、例えば合成樹脂材の成型品のように、必ずしも柔軟な紐である必要はない。しかしながら、成型品を連結紐３として利用する場合、嵩張らないように、強度の許す範囲でなるべく扁平に形成し、弱化線を設けることによって、この部分を折り線７として曲げ易くしておく。また、連結紐３がある程度腰のあるものであれば、係止部４をループ状ではなくフック形状に形成することも可能である。その他、連結紐３として、扁平に編みたてた紐であって、両端に係止部４を形成するものや、丸軸に編んだものでありながら、固定部５や６あるいは折り線７部分を扁平に形成することによって、容易に縫製及び折り曲げができるようにすることもできる。
【００２２】
ハンカチ主体１とハンカチ補助片２の大きさの組み合わせは任意である。しかしながら、ハンカチ主体１の大きさを、ハンカチ補助片２に合わせて折り畳むことができる大きさとしておくと便利であることは、先に述べたとおりである。図２に示す実施形態は、ハンカチ主体１をハンカチ補助片２の４倍の大きさとしているが、図９に示す実施形態では１６倍の大きさとし、大きなハンカチ主体を想定している。さらに、図１０に示す実施形態は、ハンカチ主体１をハンカチ補助片２の６倍の大きさとしている。この実施形態では、ハンカチ主体１が正方形ではなく長方形となる。
【００２３】
ハンカチ主体１とハンカチ補助片２の組み合わせは自由である。例えば、ハンカチ主体１を薄い布とし、ハンカチ補助片２をワイパークロスとする他、手拭きと汗拭き、あるいは小物を入れておくことができる袋状に形成することもできる。例えば、ハンカチ補助片２を袋状とし、その内部に香剤を入れておく  （匂い袋となる）  と、常に良い香りのハンカチを利用することができる。同じ目的で、ハンカチ補助体２を、芳香性素材もしくは香水を染み込ませた一枚の布製や紙製などのシート材とすることもできる。
【００２４】
さらに、ハンカチ補助体２として、ハンカチをきれいに折り畳むことができるとともに、メモ台としても利用することができるように腰のある薄板とすることもできる。ハンカチ補助体２を腰のある薄板とする場合、ポケットなどに入れて携行するのに便利な大きさとするのが好ましい。そして、ハンカチ補助体２がハンカチ主体１の折り畳みの芯として機能するため、常にきれいに折り畳まれた状態を維持することができる。
【００２５】
図２や図９に示す実施形態のハンカチ主体１は、薄い布の周辺に折り返し９を設け縫い線１０で縁縫いを施しているとともに、ハンカチ補助片２の周辺に縁かがり１１を施している。逆に、図１０に示す実施形態では、ハンカチ主体１の周縁に縁かがり１２を施し、ハンカチ補助片２に折り返し１３を形成している。図１０に示す実施形態は、ハンカチ主体１を汗拭きとして利用する場合に便利なタオル地を採用するような場合が考えられる。
【００２６】
【発明の効果】
請求項１記載の本発明安全ハンカチによれば、ハンカチ主体とハンカチ以外の目的に利用するハンカチ補助片、例えば通常携行するのが面倒であるめがね拭きなどを、ハンカチと一緒にまとめて携行することができ、紛失させるようなことがなくきわめて便利である。また、ハンカチ補助片としてハンカチ主体と類似の機能を有するもの、例えば汗拭きと手拭きの組み合わせとし、衛生的に利用することができ、必要に応じて連結紐を切断することによって、ハンカチ主体とハンカチ補助片をそれぞれの目的に利用することもできる。
【００２７】
請求項２記載の本発明では、請求項１記載の発明の効果に加え、連結紐に係止部を形成していることによって、分離させたハンカチ主体及び／又はハンカチ補助片をフックなどに掛けて利用することができる。
【００２８】
請求項３記載の発明によれば、ハンカチ主体とハンカチ補助片を重ね合わせてきれいに折り畳むことができ、携行する場合などに嵩張らず便利である。
【００２９】
請求項４記載の発明によれば、連結紐としてテープを利用することで、折り畳む場合に嵩張らず、ポケットに入れて携行する場合などに便利であるとともに、連結紐としてリボンを利用すれば装飾的な効果を発揮することが可能となる。
【００３０】
請求項５記載の発明によれば、ハンカチに連結紐を固定する作業が容易となり、例えば縫製によって係止部を形成する場合のように、縫製ミスによって係止部が形成されないといったことがない。また、連結紐の固定手段として、縫製以外の手段を選択することができる。
【図面の簡単な説明】
【図１】本考案に係るハンカチであって一部を折り返して示す正面図、
【図２】ハンカチ主体とハンカチ補助片を重ね合わせた状態の正面図、
【図３】ハンカチ主体とハンカチ補助片を重ねて、折り畳んだ状態を示す正面図、
【図４】本発明に係るハンカチをフックに掛けた状態を示す斜視図、
【図５】テープを利用した連結紐の一例を示す正面図、
【図６】ハンカチ主体とハンカチ補助片を分離する状態を示す斜視図、
【図７】ロープを利用する連結紐の一例を示す正面図、
【図８】両端部に係止部を形成した連結紐の一例を示す正面図、
【図９】別の実施形態を示す、ハンカチ主体とハンカチ補助片を重ね合わせた状態の正面図、
【図１０】さらに別の実施形態を示す、ハンカチ主体とハンカチ補助片を重ね合わせた状態の正面図。
【符号の説明】
１…ハンカチ主体、  ２…ハンカチ補助片、  ３…連結紐、  ４…係止部、  ５，  ６…固定部、  ７…折り線、  ８…フック、  ９…折り返し、  １０…縫い線、  １１，  １２…縁かがり、  １３…折り返し。
【図１】
2004277942.tif 000003
【図２】
2004277942.tif 000004
【図３】
2004277942.tif 000005
【図４】
2004277942.tif 000006
【図５】
2004277942.tif 000007
【図６】
2004277942.tif 000008
【図７】
2004277942.tif 000009
【図８】
2004277942.tif 000010
【図９】
2004277942.tif 000011
【図１０】
2004277942.tif 000012